(57)【要約】【課題】電源スタンバイ状態に移行した時、その移行直前の入力セレクタの状態のままではシンク機器に映像、音声信号を出力できない場合、映像、音声を出力できる状態にあるソース機器を優先して選択し、映像信号および音声信号を出力し、また、電源オンの状態に復帰時に、電源スタンバイ状態へ移行直前に選択されていた入力セレクタ状態に復帰できる音響再生装置を提供する。【解決手段】電源スタンバイ状態に移行した場合、ＨＤＭＩ規格の映像・音声信号を出力可能なソース機器が選択されているかどうか、あるいは電源検出部１０４により選択されている機器の電源がオンであるかどうかを調べ、映像、音声信号を出力できない状態にあれば、予め指定されている他のソース機器を選択し、次に電源をオンした場合は、メモリ部１１３に記憶されている入力セレクタ情報を基に、以前選択されていたソース機器が選択され、その音声が外部スピーカ１１４から再生される。【選択図】図１
2011146884.tif 000002
【特許請求の範囲】
【請求項１】
ＨＤＭＩ規格による映像・音声信号の入力部、及び出力部を備え、前記出力部にて映像・音声再生装置と接続し、前記入力部からの音声信号を処理して外部スピーカーに出力するようにした音響再生装置であって、
ＨＤＭＩ規格による映像・音声信号を送信可能な第１のソース機器、及び第２のソース機器の少なくとも２つの映像・音声信号源から一つを選択するＨＤＭＩ入力セレクタ、及び、映像信号と音声信号とが多重化された当該ＨＤＭＩ規格による伝送信号データを受信し、それぞれ映像信号データと音声信号データに分離して出力するＨＤＭＩ受信部よりなる第１の信号入力部と、
前記第１のソース機器、及び第２のソース機器を含む複数のソース機器の電源状態を監視する電源検出部と、
前記ＨＤＭＩ受信部で受信した映像・音声信号を、映像表示部及び内蔵スピーカを有する映像・音声再生装置に送信するＨＤＭＩ送信部よりなる信号出力部と、
前記ＨＤＭＩ規格による映像・音声信号を送信可能なソース機器以外の映像・音声信号源及び／又は映像信号を含まない音声信号源の信号源からのデジタル音声信号及び／又はアナログ音声信号から一つを選択する音声入力セレクタを含む第２の信号入力部と、
前記第１の信号入力部及び第２の信号入力部に入力された複数の信号源の音声信号から１つを選択する入力セレクタと、
前記入力セレクタからの音声信号に所定の処理を施して外部スピーカに出力する音声処理部と、
前記音声処理部の信号処理により外部スピーカに出力して音声信号の再生を行う電源オン状態と当該音声信号の再生を行わない電源スタンバイ状態とに切換可能な電源部と、
前記各部の制御を実行する制御部と、
少なくとも前記電源オン状態において前記入力セレクタにより選択された選択状態を電源スタンバイ状態において記憶するメモリ部とを備え、
前記制御部は、外部スピーカに出力しない前記電源部のスタンバイ状態においても前記ＨＤＭＩ受信部及びＨＤＭＩ送信部に電源を供給するように制御し、
当該電源スタンバイ状態移行時において、電源スタンバイ移行直前の前記入力セレクタの状態が、前記ＨＤＭＩ規格による映像・音声信号を送信可能な第１のソース機器からの音声信号が選択されていない状態の場合、
あるいは、当該電源スタンバイ状態移行時において、電源スタンバイ移行直前の前記入力セレクタの状態が、前記ＨＤＭＩ規格による映像・音声信号を送信可能な第１のソース機器からの音声信号が選択されていて、且つ、前記電源検出部により第１のソース機器の電源状態がオフと判定された場合、
および、当該電源スタンバイ状態において、電源スタンバイ移行直前の前記入力セレクタの状態が、前記ＨＤＭＩ規格による映像・音声信号を送信可能な第１のソース機器からの音声信号が選択されていて、且つ、第１のソース機器の電源状態がオフになったことを前記電源検出部により検出した場合、
更に、当該電源スタンバイ状態において、電源スタンバイ移行直前の前記入力セレクタの状態が、前記ＨＤＭＩ規格による映像・音声信号を送信可能な予め指定された第２のソース機器からの音声信号が選択されておらず、且つ、第２のソース機器の電源状態がオフからオンになったことを前記電源検出部により検出した場合、
前記ＨＤＭＩ入力セレクタの選択を第２のソース機器に切換え、前記ＨＤＭＩ受信部で受信した映像・音声信号を映像・音声再生装置に送信可能にし、
また、制御部は、電源オン状態から電源スタンバイ状態に移行する際に前記入力セレクタが選択していた音声信号の信号源を前記メモリ部に記憶し、その後電源オン状態に移行した際に前記メモリ部に記憶されていた当該信号源の音声信号を前記入力セレクタにより選択して外部スピーカから出力するように構成したことを特徴とする音響再生装置。
【請求項２】
前記電源検出部では、ＨＤＭＩ規格の接続ケーブルによりソース機器から供給される＋５Ｖ電源の供給状態によりソース機器の電源状態を判定する、請求項１に記載された音響再生装置。
【請求項３】
前記電源検出部では、ＨＤＭＩ規格のConsumer Electronics Control(CEC)に準拠した信号によるデータ通信によりソース機器の電源状態を判定することを特徴とする、請求項１に記載された音響再生装置。
【請求項４】
前記第１の信号入力部に接続された機器に対して信号の再生能力を示すためのデータを保存するデータ格納部を更に備え、
前記電源が投入されて前記音声処理部を介しての音声信号の出力が可能な電源オン状態と、前記音声処理部を介しての音声信号の出力ができない電源スタンバイ状態とで、前記データ格納部に保存するデータの内容を書き換えることを特徴とする請求項１〜３に記載の音響再生装置。
【請求項５】
前記電源スタンバイ状態では、前記データ格納部に、前記信号出力部に接続された機器の再生能力を示すデータが保存される請求項４に記載の音響再生装置。
【請求項６】
前記電源オン状態では、前記データ格納部に、自身が有する再生能力を示すデータが保存される請求項４に記載の音響再生装置。
【請求項７】
前記データ格納部に保存されるデータは、HDMI規格のEDIDによるものである請求項４〜６に記載の音響再生装置。
【発明の詳細な説明】
【技術分野】
【０００１】
本発明は、ＨＤＭＩ規格による映像・音声信号の入力部、及び出力部を備え、前記出力部にて映像・音声再生装置と接続し、前記入力部からの音声信号を処理して外部スピーカーに出力するようにした音響再生装置に関するものである。
【背景技術】
【０００２】
従来より、ＤＶＤプレーヤやＤＶＤレコーダ等の映像・音声信号発生装置、ＡＶアンプ等の音響再生装置、およびテレビジョン受像機（以下、「ＴＶ」と称する）等の映像・音声出力装置を組み合わせた映像・音声視聴システムが提供されている。映像・音声信号発生装置、音響再生装置、および映像・音声出力装置は、それぞれ、ソース機器、リピーター機器、およびシンク機器とも呼称される。
【０００３】
近年、ＴＶにＡＶアンプを接続して自宅で映画館のような臨場感を実現する、一般にホームシアターシステムと呼ばれる映像・音声視聴システムが種々提案され普及しつつある。ユーザはホームシアターシステムのＡＶアンプに接続した外部スピーカおよびＴＶに有する内部スピーカの何れかを選択して、選択されたスピーカから出力される音声を楽しむことが出来る。
【０００４】
この場合、音響再生装置は、ソース機器であるＤＶＤプレーヤとシンク機器であるＴＶとの間で、映像および音声信号を伝達するリピーター機器としての機能を持ち合わせ、ＤＶＤプレーヤで発生した映像信号および音声信号を受信し、その信号をＴＶに再送信する。その際、映像信号はＴＶに送信して当該ＴＶのモニタ画面に出力し、ＤＶＤから送信された、例えば5.1チャンネルのマルチチャンネル音声信号を、当該音響再生装置が有する音声出力手段を介して、当該装置に接続された外部スピーカから出力するようになっており、例えばその信号の送受信をＨＤＭＩ（High-Definition Multimedia Interface）規格により行うものが種々提案されている（例えば、特許文献１参照）。
【０００５】
ここで、前述のＨＤＭＩ規格対応の装置では、音響再生装置に接続されたソース機器としてのＤＶＤプレーヤ、シンク機器としてのＴＶとの間で、シンク機器の再生能力をソース機器で把握し、その再生能力に応じた映像信号および音声信号を出力できるようになっている。
【０００６】
また、このような音響再生装置は、同時に、映像信号を有しない、例えば、アナログ音声信号を出力するチューナや、デジタル音声信号を出力するＣＤプレーヤ等を接続した場合にも、前述のマルチチャンネル音声信号として出力できるように対応しているのが一般的である。このような音声信号再生装置は、映像信号は有しておらず、ＨＤＭＩ規格には対応できないものであり、シンク機器の再生能力にかかわらずソース機器の再生能力により再生される。
【０００７】
そして、音響再生装置は、例えば、ＨＤＭＩ対応接続されたDVDプレーヤ、ＤＶＤレコーダ、ＨＤＭＩ対応でないＣＤプレーヤ、チューナ等の、映像・音声信号、デジタル音声信号及び／又はアナログ音声信号の複数の音声信号入力から一つを選択して、当該音響再生装置の音声出力手段を介して、当該装置に接続された外部スピーカから出力するものである。
【０００８】
また、音響再生装置の電源をオフしたスタンバイ状態では、当該音響再生装置に接続された外部スピーカから音声信号を再生することはできないが、このようなリピータとしての音響再生装置には、ＨＤＭＩ対応の、例えば、ＤＶＤプレーヤの出力信号を受信して、そのままＴＶに送信するスタンバイパススルー機能を有するものがある（例えば、特許文献２参照）。
【０００９】
このような音響再生装置には、ＨＤＭＩ規格による映像・音声信号の入出力部を備えると共に、当該ＨＤＭＩ規格による音声信号を含め、その他のデジタル音声信号及び／又はアナログ音声信号の複数の音声信号入力から一つを選択する入力セレクタを備え、選択された音声信号を処理して外部スピーカに出力するようにし、電源をオフしてスタンバイ状態に移行した時は、その移行直前の入力セレクタの状態がＨＤＭＩ規格による音声信号を選択していない場合であっても、当該ＨＤＭＩ規格対応のソース機器とＴＶなどのシンク機器が電源オンの状態であれば、当該音響再生装置は、映像・音声信号をＨＤＭＩ出力端子を介してシンク機器に出力することができ、また、電源オンの状態に復帰時に、電源オフのスタンバイ状態へ移行直前に選択されていた入力セレクタ状態に復帰することができる（例えば特許文献３）。
【先行技術文献】
【特許文献】
【００１０】
【特許文献１】特開２００６−３１１２８８号公報
【特許文献２】特開２００７−１２４４６９号公報
【特許文献３】特開２００８−２７１３５３号公報
【発明の概要】
【発明が解決しようとする課題】
【００１１】
しかしながら、従来の音響再生装置において、前述した複数の信号源から１つを選択して再生している場合、例えばＨＤＭＩ規格による映像・音声信号を送信可能な第１のソース機器が選択されている場合、当該第１のソース機器の電源がオフの状態であっても、音響再生装置の電源をオフしスタンバイ状態になると、音響再生装置のスタンバイパススルー機能により、第１のソース機器の映像・音声信号を映像・音声再生装置に出力しようとするが、第１のソース機器の電源がオフであるため、映像・音声再生装置からは映像も音声も出力されない。
【００１２】
この時、音響再生装置には第２のソース機器が接続されており、映像、音声が出力可能な状態になっていても、音響再生装置の電源がオフになっているため、第２のソース機器の映像、音声を映像・音響再生装置から出力させようとすると、音響再生装置の電源を一旦オンにし、入力セレクタを切り換えて第２のソース機器を選択した後、再度、音響再生装置の電源をオフにする必要があり、非常に不便であった。
【００１３】
そこで、本発明は、上記従来の問題点を解決し、第１のソース機器のＯＮ／ＯＦＦ状態を検出して、ＯＦＦであれば入力セレクタを自動的に第２のソース機器に設定することができる音響再生装置を提供することを目的とする。
【課題を解決するための手段】
【００１４】
本発明の音響再生装置は、ＨＤＭＩ規格による映像・音声信号の入力部、及び出力部を備え、前記出力部にて映像・音声再生装置と接続し、前記入力部からの音声信号を処理して外部スピーカーに出力するようにした音響再生装置であって、ＨＤＭＩ規格による映像・音声信号を送信可能な第１のソース機器、及び第２のソース機器の少なくとも２つの映像・音声信号源から一つを選択するＨＤＭＩ入力セレクタ、及び、映像信号と音声信号とが多重化された当該ＨＤＭＩ規格による伝送信号データを受信し、それぞれ映像信号データと音声信号データに分離して出力するＨＤＭＩ受信部よりなる第１の信号入力部と、前記第１のソース機器、及び第２のソース機器を含む複数のソース機器の電源状態を監視する電源検出部と、前記ＨＤＭＩ受信部で受信した映像・音声信号を、映像表示部及び内蔵スピーカを有する映像・音声再生装置に送信するＨＤＭＩ送信部よりなる信号出力部と、前記ＨＤＭＩ規格による映像・音声信号を送信可能なソース機器以外の映像・音声信号源及び／又は映像信号を含まない音声信号源の信号源からのデジタル音声信号及び／又はアナログ音声信号から一つを選択する音声入力セレクタを含む第２の信号入力部と、前記第１の信号入力部及び第２の信号入力部に入力された複数の信号源の音声信号から１つを選択する入力セレクタと、前記入力セレクタからの音声信号に所定の処理を施して外部スピーカに出力する音声処理部と、前記音声処理部の信号処理により外部スピーカに出力して音声信号の再生を行う電源オン状態と当該音声信号の再生を行わない電源スタンバイ状態とに切換可能な電源部と、前記各部の制御を実行する制御部と、少なくとも前記電源オン状態において前記入力セレクタにより選択された選択状態を電源スタンバイ状態において記憶するメモリ部とを備え、前記制御部は、外部スピーカに出力しない前記電源部のスタンバイ状態においても前記ＨＤＭＩ受信部及びＨＤＭＩ送信部に電源を供給するように制御し、
当該電源スタンバイ状態移行時において、電源スタンバイ移行直前の前記入力セレクタの状態が、前記ＨＤＭＩ規格による映像・音声信号を送信可能な第１のソース機器からの音声信号が選択されていない状態の場合、あるいは、当該電源スタンバイ状態移行時において、電源スタンバイ移行直前の前記入力セレクタの状態が、前記ＨＤＭＩ規格による映像・音声信号を送信可能な第１のソース機器からの音声信号が選択されていて、且つ、前記電源検出部により第１のソース機器の電源状態がオフと判定された場合、および、当該電源スタンバイ状態において、電源スタンバイ移行直前の前記入力セレクタの状態が、前記ＨＤＭＩ規格による映像・音声信号を送信可能な第１のソース機器からの音声信号が選択されていて、且つ、第１のソース機器の電源状態がオフになったことを前記電源検出部により検出した場合、更に、当該電源スタンバイ状態において、電源スタンバイ移行直前の前記入力セレクタの状態が、前記ＨＤＭＩ規格による映像・音声信号を送信可能な予め指定された第２のソース機器からの音声信号が選択されておらず、且つ、第２のソース機器の電源状態がオフからオンになったことを前記電源検出部により検出した場合、前記ＨＤＭＩ入力セレクタの選択を第２のソース機器に切換え、前記ＨＤＭＩ受信部で受信した映像・音声信号を映像・音声再生装置に送信可能にし、また、制御部は、電源オン状態から電源スタンバイ状態に移行する際に前記入力セレクタが選択していた音声信号の信号源を前記メモリ部に記憶し、その後電源オン状態に移行した際に前記メモリ部に記憶されていた当該信号源の音声信号を前記入力セレクタにより選択して外部スピーカから出力するように構成したことを特徴とする。
【発明の効果】
【００１５】
以上のように、本発明の音響再生装置によれば、音響再生装置の電源をオフし、音響再生装置の外部スピーカによる音声出力を行わない場合であっても、電源オンでの使用時の入力セレクタの設定を意識せずに、映像、音声を出力できる状態にあるソース機器を優先して選択し、リピータとしての当該音響再生装置を介して、シンク機器に対して映像信号および音声信号を出力できる。
【図面の簡単な説明】
【００１６】
【図１】本発明の実施の形態における映像音声視聴システムの構成図
【図２】本発明の実施の形態における電源オンオフ操作時の音響再生装置の処理フローチャート
【図３】本発明の実施の形態におけるＡＶアンプの電源操作時の動作を示す図
【図４】第２の実施の形態におけるＡＶアンプのＨＤＭＩブロックの構成図
【図５】第２の実施の形態におけるソース機器のＨＤＭＩブロックの構成図
【図６】第２の実施の形態におけるシンク機器のＨＤＭＩブロックの構成図
【図７】第２の実施の形態における電源オンオフ操作時の音響再生装置の処理フローチャート
【図８】従来の音響再生装置の構成図
【発明を実施するための形態】
【００１７】
以下、本発明の音響再生装置を実施するための形態について、図１から図７を用いて詳細に説明する。
【００１８】
（実施の形態１）
図１は、実施の形態１の音響再生装置の構成を示す。ＡＶアンプ１００は音響再生装置の一例であり、ＴＶ３０１は映像・音声再生装置の一例、ＤＶＤレコーダー２０１およびケーブルＴＶチューナー２０２はＨＤＭＩ規格による映像・音声信号を送信可能なソース機器の一例、ビデオデッキ４０１、およびＣＤプレーヤー４０２はＨＤＭＩ規格による映像・音声信号を送信可能なソース機器以外の映像・音声信号源及び／又は映像信号を含まない音声信号源の一例である。
【００１９】
ＡＶアンプ１００は、第１の信号入力部１０３、電源検出部１０４、信号出力部１０６、第２の信号入力部１０８、入力セレクタ１０９、音声処理部１１０、電源部１１１、制御部１１２、メモリ部１１３で構成される。さらにＡＶアンプ１００は、ＤＶＤレコーダー２０１，および、ケーブルＴＶチューナー２０２、ＴＶ３０１、ビデオデッキ４０１、ＣＤプレーヤー４０２、外部スピーカー１１４が接続されている。
【００２０】
第１の信号入力部１０３は、複数のＨＤＭＩ信号入力から１つを選択するＨＤＭＩ入力セレクタ１０１と、選択されたＨＤＭＩ信号を受信するＨＤＭＩ受信部１０２で構成される。が含まれており、選択された映像、および音声信号がＨＤＭＩ送信部１０５へ送られ、テレビ３０１に出力される。
【００２１】
電源検出部１０４は、接続されたＤＶＤレコーダ２０１及びケーブルＴＶチューナ２０２の電源状態を検出する。
【００２２】
信号出力部１０６は、ＨＤＭＩ信号をテレビ３０１に出力するＨＤＭＩ送信部１０５で構成され、ＨＤＭＩ入力セレクタで選択され、ＨＤＭＩ受信部１０２で受信したＨＤＭＩ信号である映像及び音声信号を出力する。
【００２３】
第２の信号入力部１０８は、複数の音声入力から１つを選択する音声入力セレクタ１０７で構成される。
【００２４】
入力セレクタ１０９は、第１の信号入力部１０３の信号と第２の信号入力部の信号のいずれかを選択する。
【００２５】
音声処理部１１０は、入力セレクタ１０９で選択された音声信号を外部スピーカ１１４に出力するための処理を行う。
【００２６】
制御部１１２は、電源部１１１を制御する。
【００２７】
メモリ部１１３は、入力セレクタ１０９の状態を記録する。
【００２８】
以上のように構成された音響再生装置について、以下、制御部１１２の動作を図２、図３を併用しながら説明する。
＜１．入力セレクタ１０９でＤＶＤレコーダー２０１が選択された場合＞
図１を用いて、ＡＶアンプ１００の電源部１１１がオンで、ＨＤＭＩ入力セレクタ１０１、入力セレクタ１０９によりＨＤＭＩ規格による映像・音声信号を送信可能なソース機器、例えば、ＤＶＤレコーダー２０１が選択されている場合について説明する。
【００２９】
この時、ＤＶＤレコーダー２０１の映像・音声信号はＨＤＭＩ受信部１０２に入力され、その音声信号は入力セレクタ１０９を経由して音声処理部１１０に入る。音声処理部により、外部スピーカー１１４に出力するための処理や音量調整等の処理を施された音声信号は外部スピーカー１１４から出力される。一方、ＴＶ３０１へ出力されるべき映像信号は、ＨＤＭＩ受信部１０２からＨＤＭＩ送信部１０５へ送られ、ＴＶ３０１へ出力される。上記の状態が、ＤＶＤレコーダ２０１の音声をＡＶアンプ１００で楽しんでいる場合である。
＜１．１  電源オフにした場合の動作＞
図２を用いて、電源をオフにした時の音響再生装置の動作を説明する。
【００３０】
ＡＶアンプ１００の電源をオフにする操作をした場合、制御部１１２は電源部１１１をスタンバイ状態にし、ＡＶアンプ１００をオフにする。この時、第１の信号入力部１０３、および、信号出力部１０６への電源供給は切断されず、ＨＤＭＩ規格による映像・音声信号の入力、および出力の正常動作が可能のままである（スタンバイパススルー動作）。
【００３１】
電源操作により電源のオンオフを切り換えられた時（Ｓ２１）、現在の電源状態を判定し（Ｓ２２）、電源がオフになった場合（Ａ）は、電源オフの諸処理（Ｓ２３）を実行すると共に、現在の入力セレクタの状態をメモリ部１１３に記憶し（Ｓ２４）、そのセレクタ情報を解析する（Ｓ２５）。今回の例では、ＤＶＤレコーダ２０１を選択していたため、メモリ部１１３にはセレクタ情報として「ＤＶＤレコーダー」を表すデータが記憶される。
【００３２】
選択されていたセレクタ情報が「ＤＶＤレコーダー」であるため、電源検出部１０４でＤＶＤレコーダー２０１の電源状態を調べる（Ｓ２６）。電源検出部１０４は、ＤＶＤレコーダー２０１とのＨＤＭＩ接続ケーブルを通して送られるＤＶＤレコーダー２０１からの＋５Ｖ電源を調べ、規定の電圧以上が検出されれば接続されているＤＶＤレコーダーの電源はオン状態であると判断する（Ｓ２６）。
【００３３】
ＤＶＤレコーダー２０１電源がオンであればＤＶＤレコーダー２０１からの映像・音声信号はそのままＨＤＭＩ送信部１０５からＴＶ３０１に出力される（Ｓ２９）。
【００３４】
一方、ＤＶＤレコーダー２０１の電源がオフであれば、そのままＤＶＤレコーダー２０１の映像、音声をＴＶ３０１に出力しても、何も表示されず、音も出ないため、予め指定されているＨＤＭＩ規格の映像・音声信号を出力可能なソース機器、ケーブルＴＶチューナー２０２の電源状態を電源検出部１０４で前記と同様の方法で調べ（Ｓ２７）、電源がオンであればケーブルＴＶチューナー２０２に入力セレクタが切り替えられ（Ｓ２８）、ケーブルＴＶチューナー２０２の映像・音声信号がＨＤＭＩ送信部１０５より出力される（Ｓ２９）。
【００３５】
ケーブルＴＶチューナー２０２の電源もオフだった場合は、何もせず、ＤＶＤレコーダー２０１の映像、音声をそのままＨＤＭＩ送信部１０５からＴＶ３０１に出力する。この場合、その後もケーブルＴＶチューナー２０２の電源状態は継続的に電源検出部１０４にて監視され（Ｓ２７）、ケーブルＴＶチューナー２０２の電源がオフからオンに切り替わった場合は、ケーブルＴＶチューナーに入力セレクタを切り替え（Ｓ２８）、ケーブルＴＶチューナー２０２の映像・音声信号がＨＤＭＩ送信部１０５より出力する（Ｓ２９）。
【００３６】
ここで、上記電源検出部１０４でＤＶＤレコーダー２０１の電源状態を調べた際に、電源がオンであった場合は、ＤＶＤレコーダー２０１の映像、音声はそのままＨＤＭＩ送信部１０５からＴＶ３０１に出力されるが、その後もＤＶＤレコーダー２０１の電源状態は継続的に電源検出部１０４にて監視されるＳ２６）。
【００３７】
ＤＶＤレコーダー２０１の電源がオンからオフに切り替わった場合は、電源検出部１０４で前記と同様の方法でケーブルＴＶチューナーの電源状態を調べ、電源がオンであればケーブルＴＶチューナーに入力セレクタを切り替え（Ｓ２８）、ケーブルＴＶチューナー２０２の映像・音声信号がＨＤＭＩ送信部１０５より出力する（Ｓ２９）。
【００３８】
ケーブルＴＶチューナー２０２の電源もオフだった場合は、何もせず、ＤＶＤレコーダー２０１の映像、音声をそのままＨＤＭＩ送信部１０５からＴＶ３０１に出力する。
＜１．２  電源オンにした場合の動作＞
次に、ＡＶアンプ１００の電源オン時の音響再生装置の動作を説明する。ＡＶアンプ１００の電源をオンする操作をした場合、制御部１１２は電源部１１１をオン状態にし、ＡＶアンプ１００の電源をオンにする。この時、第１の信号入力部１０３、および、信号出力部１０６は正常動作が可能のままである。電源操作（Ｓ２）により電源のオンオフを切り換えられた時（Ｓ２１）、現在の電源状態を判定し（Ｓ２２）、電源がオンになった場合（Ｂ）は、電源オンの諸処理（Ｓ３０）を行うと共に、予めメモリ部１１３に記憶されているセレクタ情報を読み出し（Ｓ３１）、そのセレクタ情報のセレクタにＨＤＭＩ入力セレクタ１０１、音声入力セレクタ１０７、入力セレクタ１０９を切り換える（Ｓ３２）。
【００３９】
例えば、ＡＶアンプ１００の電源オン中にＤＶＤレコーダー２０１が選択されていた場合、メモリ部１１３にはセレクタ情報として「ＤＶＤレコーダー」を表すデータが記憶されており、一旦ＡＶアンプ１００の電源をオフにした後、再度電源をオンにすると、ＨＤＭＩ入力セレクタ１０１、音声入力セレクタ１０７、入力セレクタ１０９ではＤＶＤレコーダー２０１が選択され、ＤＶＤレコーダー２０１からの音声信号は、音声処理部１１０に送られ、外部スピーカー１１４から出力される。
＜２．入力セレクタ１０９でＣＤプレーヤー４０２が選択された場合＞
次に、電源オン中に入力セレクタ１０９によりＨＤＭＩ規格による映像・音声信号を送信可能なソース機器以外のソース機器、例えばＣＤプレーヤー４０２が選択されている場合について説明する。
【００４０】
この時、ＣＤプレーヤー４０２の音声信号は音声入力セレクタ１０７、入力セレクタ１０９を経由して音声処理部１１０に入る。音声処理部により、外部スピーカー１１４に出力するための処理や音量調整等の処理を施された音声信号は外部スピーカー１１４から出力される。上記の状態が、ＣＤプレーヤ４０２の音声をＡＶアンプ１００で楽しんでいる場合である。
＜２．１  電源オフにした場合の動作＞
次に図２を用いて、電源オフ時の音響再生装置の動作を説明する。ＡＶアンプの電源をオフする操作をした場合、制御部１１２は電源部１１１をスタンバイ状態にし、ＡＶアンプ１００の電源をオフする。電源操作（Ｓ２）により電源のオンオフを切り換えられた時（Ｓ２１）、現在の電源状態を判定し（Ｓ２２）、電源がオフになった場合（Ａ）は、電源オフの諸処理（Ｓ２３）を行うと共に、現在の入力セレクタの状態をメモリ部１１３に記憶し（Ｓ２４）、そのセレクタ情報を解析する（Ｓ２５）。今回の例では、電源オン中にＣＤプレーヤー４０２を選択していたため、メモリ部１１３にはセレクタ情報として「ＣＤプレーヤー」を表すデータが記憶される。
【００４１】
Ｓ２５での解析の結果、ここでは予め指定されているＨＤＭＩ対応セレクタのケーブルＴＶチューナー２０２の電源の状態を電源検出部１０４にて前記と同様の方法で調べ（Ｓ２７）、ケーブルＴＶチューナー２０２の電源がオンであれば、ＨＤＭＩ入力セレクタ１０１、入力セレクタ１０９がケーブルＴＶチューナーに設定され（Ｓ２８）、ケーブルＴＶチューナー２０２の映像・音声信号がＨＤＭＩ送信部１０５より出力される（Ｓ２９）。
ケーブルＴＶチューナー２０２の電源がオフの場合は、入力セレクタをケーブルＴＶチューナーに切り換えることはしない。
＜２．２  電源オンにした場合の動作＞
次に、ＡＶアンプ１００の電源オン時の音響再生装置の動作を説明する。ＡＶアンプ１００の電源をオンする操作をした場合、制御部１１２は電源部１１１をオン状態にし、ＡＶアンプ１００の電源をオンにする。この時、第１の信号入力部１０３、および、信号出力部１０６は正常動作が可能のままである。電源操作（Ｓ２）により電源のオンオフを切り換えられた時（Ｓ２１）、現在の電源状態を判定し（Ｓ２２）、電源がオンになった場合（Ｂ）は、電源オンの諸処理（Ｓ３０）を行うと共に、予めメモリ部１１３に記憶されているセレクタ情報を読み出し（Ｓ３１）、そのセレクタ情報のセレクタにＨＤＭＩ入力セレクタ１０１、音声入力セレクタ１０７、入力セレクタ１０９を切り換える（Ｓ３２）。
【００４２】
例えば、ＡＶアンプ１００の電源オン中にＣＤプレーヤー４０２が選択されていた場合、メモリ部１１３にはセレクタ情報として「ＣＤプレーヤー」を表すデータが記憶されており、一旦ＡＶアンプ１００の電源をオフにした後、再度電源をオンにすると、ＨＤＭＩ入力セレクタ１０１、音声入力セレクタ１０７、入力セレクタ１０９ではＣＤプレーヤー４０２が選択され、ＣＤプレーヤー４０２からの音声信号は、音声処理部１１０に送られ、外部スピーカー１１４から出力される。
＜３．まとめ＞
ＡＶアンプ１００のオンオフ操作による映像・音声視聴システムの動作は、以下の５つのシーンにまとめられる。
＜３．１  シーン１＞
ＡＶアンプ１００の入力セレクタ１０９でＨＤＭＩ規格による映像・音声信号を送信可能なソース機器ＤＶＤレコーダー２０１が選択されている状態において、ＡＶアンプ１００の電源をオンからオフに電源状態を変更した場合、ＤＶＤレコーダー２０１の電源がオンであれば、ＤＶＤレコーダー２０１からの映像、音声信号がそのままＴＶ３０１に出力される。この状態からさらに、ＡＶアンプ１００の電源をオフからオンに変更しても、ＤＶＤレコーダー２０１からの映像、音声信号がＴＶ３０１に出力されたままになる。
＜３．２  シーン２＞
ＡＶアンプ１００の入力セレクタ１０９でＨＤＭＩ規格による映像・音声信号を送信可能なソース機器ＤＶＤレコーダー２０１が選択されている状態において。ＡＶアンプ１００の電源をオンからオフに電源状態を変更した場合、ＤＶＤレコーダー２０１の電源がオフであれば、予め指定されたＨＤＭＩ規格による映像・音声信号を送信可能な別のソース機器であるケーブルＴＶチューナー２０２の電源状態を調べ、電源がオンであればそのケーブルＴＶチューナー２０２からの映像、音声がＴＶ３０１に出力されることになる。この状態からさらに、ＡＶアンプ１００の電源をオフからオンに変更しても、ケーブルＴＶチューナー２０２からの映像、音声がＴＶ３０１に出力されたままになる。
＜３．３  シーン３＞
ＡＶアンプ１００の入力セレクタ１０９でＨＤＭＩ規格による映像・音声信号を送信可能なソース機器であるＤＶＤレコーダー２０１が選択されている状態において、ＡＶアンプ１００の電源をオンからオフに変更した場合、ＤＶＤレコーダー２０１の電源がオフ、かつ予め指定されたＨＤＭＩ規格による映像・音声信号を送信可能な別のソース機器であるケーブルＴＶチューナー２０２の電源もオフであれば、その後ケーブルＴＶチューナー２０２の電源がオフからオンに変更したときは、ケーブルＴＶチューナー２０２からの映像、音声がＴＶ３０１に出力される。この状態からさらに、ＡＶアンプ１００の電源がオンになってもケーブルＴＶチューナー２０２からの映像、音声がＴＶ３０１に出力される。
＜３．４  シーン４＞
ＡＶアンプ１００の入力セレクタ１０９でＨＤＭＩ規格による映像・音声信号を送信可能なソース機器以外のソース機器であるＣＤプレーヤー４０２が選択されている状態において、ＡＶアンプ１００の電源をオンからオフに変更した場合、予め指定されたＨＤＭＩ規格による映像・音声信号を送信可能な別のソース機器であるケーブルＴＶチューナー２０２の電源がオンであれば、ケーブルＴＶチューナー２０２からの映像、音声がＴＶ３０１に出力される。この状態からさらに、ＡＶアンプ１００の電源をオンにすると、入力セレクタ１０９でＣＤプレーヤー４０２が選択されているので、ケーブルＴＶチューナー２０２からの音声は、ＡＶアンプ１００に接続される外部スピーカー１１４から出力される。
＜３．５  シーン５＞
ＡＶアンプ１００の入力セレクタ１０９でＨＤＭＩ規格による映像・音声信号を送信可能なソース機器であるケーブルＴＶチューナー２０２が選択されている状態において、ＡＶアンプ１００の電源をオンからオフした場合、ケーブルＴＶチューナー２０２の電源がオンであれば、ケーブルＴＶチューナー２０２からの映像、音声がＴＶ３０１に出力される。この状態からさらに、ＡＶアンプ１００の電源がオンになってもケーブルＴＶチューナー２０２からの映像、音声がＴＶ３０１に出力される。
【００４３】
以上のように、本実施の形態によれば、以下の４つうちいずれかの場合、ＨＤＭＩ入力セレクタ１０１、入力セレクタ１０９の選択を第２のソース機器であるケーブルＴＶチューナー２０１に切り換えられ、ＨＤＭＩ受信部１０２で受信したケーブルＴＶチューナー２０１からの映像・音声信号を映像・音声再生装置であるＴＶ３０１に送信することが可能となる。
（１）ＡＶアンプ１００の電源オフ状態への移行時において、電源オフ移行直前の入力セレクタの状態が、ＨＤＭＩ規格による映像・音声信号を送信可能な第１のソース機器であるＤＶＤレコーダー２０１ではない場合
（２）ＡＶアンプ１００の電源オフ状態への移行時において、電源オフ移行直前の入力セレクタの状態が、前記ＨＤＭＩ規格による映像・音声信号を送信可能な第１のソース機器であるＤＶＤレコーダー２０１であり、且つ、電源検出部１０４により第１のソース機器であるＤＶＤレコーダー２０１の電源状態がオフと判定された場合
（３）ＡＶアンプ１００の電源オフ状態において、電源オフへの移行直前の入力セレクタの状態が、ＨＤＭＩ規格による映像・音声信号を送信可能な第１のソース機器であるＤＶＤレコーダー２０１であり、且つ、電源検出部１０４により第１のソース機器であるＤＶＤレコーダー２０１の電源状態がオフになったことを検出した場合
（４）ＡＶアンプ１００の電源オフ状態において、電源オフへの移行直前の入力セレクタの状態が、ＨＤＭＩ規格による映像・音声信号を送信可能な予め指定された第２のソース機器であるケーブルＴＶチューナー２０１ではなく、且つ、電源検出部１０４により第２のソース機器であるケーブルＴＶチューナー２０１の電源状態がオフからオンに変更したことを検出した場合、
また、制御部１１２は、電源状態をオンからオフに移行する際に、ＨＤＭＩ入力セレクタ１０１、音声入力セレクタ１０７、入力セレクタ１０９が選択していた音声信号の信号源であるセレクタ情報をメモリ部１１３に記憶することで、その後電源がオフから再度オンに移行した際、メモリ部１１３に記憶されていたセレクタ情報をもとに、ＨＤＭＩ入力セレクタ１０１、音声入力セレクタ１０７、入力セレクタ１０９を設定することで、電源がオフからオンになる直前の入力セレクタの状態に戻すことが可能である。
【００４４】
なお、電源がオフの状態、すわなちスタンバイ状態で選択されるＨＤＭＩ入力セレクタは、メニュー操作などによりユーザが予め選択させておくことも可能である。
【００４５】
また、図２で示すＳ２４の処理である入力セレクタ情報をメモリ部１１３に記憶する処理の代わりに、電源がオンであるときに入力セレクタが切り換えられる度に入力セレクタ情報をメモリ部１１３に記憶するようにしても良い。
【００４６】
更に、本実施の形態では、電源検出部１０４は接続されたＨＤＭＩ規格の映像・音声信号を出力可能なソース機器であるＤＶＤレコーダ２０１の電源状態は、ＨＤＭＩ規格のＣｏｎｓｕｍｅｒ  Ｅｌｅｃｔｒｏｎｉｃｓ  Ｃｏｎｔｒｏｌ(ＣＥＣ)規格に準拠した信号を用いて、接続されているソース機器であるＤＶＤレコーダ２０１と通信することにより、ソース機器であるＤＶＤレコーダ２０１の電源状態を問い合わせて、その問い合わせ結果をもとにソース機器あるＤＶＤレコーダ２０１の電源状態を判断するようにしても良い。
【００４７】
（実施の形態２）
次に、図１の第１の実施の形態の構成図に加え、図２、および、図４〜図７を用いて第２の実施の形態の音響再生装置について説明する。
【００４８】
図４は、図１のＡＶアンプ１００に備わるＨＤＭＩ受信部１０２、ＨＤＭＩ送信部１０５を含むＨＤＭＩブロックを示す。ＡＶアンプ１００のＨＤＭＩブロック１２０は、入力端子１２１、出力端子１２２、入力インタフェース部１２３、出力インタフェース部１２４、音声切換部１２５、ＨＤＭＩ制御部から構成される。さらに接続されたＨＤＭＩ規格による映像・音声信号を送信可能なソース機器に対して信号の再生能力を示すためのデータを保存するデータ格納部１２６を備え、また、ＡＶアンプ１００の自己の再生能力を示すデータを予め自己再生能力データ格納部１２８に保持しているものとする。
【００４９】
音声切換部１２５は入力インターフェース部１２３からの音声信号をＡＶアンプ１００内部の音声入力セレクタ部１０９に送るか出力インターフェース部１２４を介して出力端子１２２に送るかを切り換える。
【００５０】
図５は、ＤＶＤレコーダなどのＨＤＭＩ対応ソース機器のＨＤＭＩ送信部を含む内部構成例の一部を抜き出したＨＤＭＩブロックを示す。当該ＨＤＭＩブロックは、映像・音声信号発生部２２３、出力インターフェース部２２４、映像・音声信号処理部２２５、ＨＤＭＩ制御部２２７、出力端子２１８で構成される。
【００５１】
当該ＨＤＭＩブロックは、映像・音声信号発生部２２３からの映像・音声信号を映像・音声信号処理部２２５により処理し、出力インターフェース２２４を介して出力端子２１８から出力すると共に、それらを制御するＨＤＭＩ制御部２２７を有し、出力端子２１８に接続されたＨＤＭＩ対応機器に備えられたデータ格納部２２６から再生能力データを読み出すことができる。
【００５２】
図６は、ＴＶのＨＤＭＩブロックを示す。当該ＨＤＭＩブロックは、入力端子３１７、入力インタフェース部３２３、映像・音声信号処理部３２５、データ格納部３２６、ＨＤＭＩ制御部３２７、自己再生能力データ格納部３２８で構成される。
【００５３】
当該ＨＤＭＩブロックは、ＨＤＭＩ制御部３２７により、ＴＶ３０１の制御部２０６（図示せず）と連携して動作すると共に、自己再生能力データ格納部３２８に格納された自己の再生能力データをデータ格納部３２６に書き出し、入力端子３１７に接続されるＨＤＭＩ対応機器にそれを読み出させることができる。
【００５４】
上記の構成で、図４の音響再生装置（ＡＶアンプ）のＨＤＭＩブロック１２０のＨＤＭＩ制御部１２７は、ＡＶアンプ１００の制御部１１２と連携して動作すると共に、出力端子１２２に接続されたＨＤＭＩ対応シンク機器（ＴＶ３０１）に備えられた前記データ格納部２２６からシンク機器の再生能力データを読み込むことができるものとする。
【００５５】
ここで、第２の実施の形態の動作について説明するが、実施の形態１で説明した部分は省略し、第２の形態特有の動作、処理についてのみ記載する。
【００５６】
ＡＶアンプ１００が電源オン状態の時は、ＨＤＭＩ制御部１２７により、ＡＶアンプ１００自身が有する固有の再生能力が定義され、自己再生能力データ格納部１２８に格納された自己再生能力データと、図６に示したＴＶ３０１のデータ格納部２２６に格納されているＴＶ３０１の再生能力を示すデータに基づき、ＡＶアンプ１００のデータ格納部１２６に保存すべき再生能力を示すデータの内容が決定されて書き込まれる。このＡＶアンプ１００の電源オン状態では、音声信号はＡＶアンプ１００に接続された外部スピーカ１１４から出力されるため、音声切換部１２５は音声入力セレクタ１０９側に切り換えられており、出力端子１１８への音声信号は無音データに置き換えられている。
【００５７】
一方、音声信号がＡＶアンプ１００の外部スピーカ１１４から出力されているにもかかわらず、入力インターフェース部１２３を経由した映像信号出力は、そのまま出力インターフェース部１２４を通り、出力端子１２２へ送られる。このため、データ格納部１２６における再生能力を示すデータは、ＡＶアンプ１００が外部スピーカ１１４に対して再生出力可能な音声信号の再生能力を示すデータと、ＴＶ３０１が表示できる映像信号の再生能力を示すデータとが合成されて保存されることになる。
【００５８】
そこで、この「電源オン状態」において、入力端子１２１に接続されている図５に表されるソース機器（ＤＶＤレコーダー２０１）は、データ格納部１２６に保存された再生能力を示すデータの情報に対応して、制御部１１２により、映像・音声信号発生部１０３で発生した映像及び音声信号から、ＡＶアンプ１００およびＴＶ３０１での再生に必要な映像及び音声信号のフォーマットを設定し、その出力端子２１８を介して出力する。そして、ＡＶアンプ１００の入力端子１２１に入力された映像及び音声信号は、入力インタフェース部１２４から取り出される信号の内、映像信号は出力インタフェース部１２４からＴＶ３０１へと再出力され、音声信号は音声切換部１２５により音声入力セレクタ部１０２へと送られ、音声処理部１１０を介して外部スピーカ１１４から再生されることとなる。
【００５９】
一方、ＡＶアンプ１００の電源がオフでスタンバイ状態の場合、ＡＶアンプ１００としては外部スピーカ１１４からの出力を遮断した状態であり、このため、音声切換部１２５は音声入力セレクタ１０９への出力ではなく、出力インタフェース部１２４側に切り換えられ、入力端子１２１から入力された音声信号は出力端子１２２を介してＴＶ３０１に出力されることとなる。この電源オフのスタンバイ状態では、ＡＶアンプ１００の電源部１１１はスタンバイ状態になっているため、音声信号の再生はできないが、第１の信号入力部１０３と信号出力部１０６には電源部１１１からの電源が供給されている状態であり、この時、ＨＤＭＩ制御部１２７により、ＡＶアンプ１００のデータ格納部１２６には、自己再生能力データ１２８のデータは無視され、ＴＶ３０１のデータ格納部２２６に記録された再生能力を示すデータだけに基づいて決定されたデータが書き込まれる。このため、ＤＶＤレコーダー２０１などのソース機器は、ＡＶアンプ１００のデータ格納部１２６に保存されたＴＶ３０１のデータ格納部２２６に記録された再生能力を示すデータに基づいて、映像及び音声信号の再生出力信号のフォーマットを設定するような制御が行われ、出力することとなる。ここで、ソース機器が確認するＡＶアンプ１００のデータ格納部１２６における再生能力を示すデータが、ＴＶ３０１で再生するのに必要な再生能力のデータと一致しているので、ソース機器からみるとＡＶアンプ１００ではなくＴＶ３０１が直接接続されているのと等価な状態となる。
【００６０】
ここで、前記電源オフのスタンバイ状態において、ＡＶアンプ１００のデータ格納部１２６に保存される再生能力を示すデータを、前記出力端子１２２に接続されたＴＶ３０１の映像音声信号再生能力を示すデータ、すなわち、ＴＶ３０１の自己再生能力データ格納部３２８に格納されているデータに書き換える時、書き換える映像信号の再生能力を示すデータの内容が、ＡＶアンプ１００において、入力インタフェース１２３より出力インタフェース１２４を介して映像信号を伝送する際のＡＶアンプ１００自身が有する映像信号伝送能力、すなわち、ＡＶアンプ１００の自己再生能力データ格納部１２８に格納されているデータが示す能力を越えないように書き換えている。
図７は、第２の実施の形態における電源オン／オフ操作時の音響再生装置の処理フローを示す。電源オン／オフ操作時、まずステップＳ４２においてＡＶアンプ１００の電源状態を判定し、電源オン状態であれば、ステップＳ４７においてＴＶ３０１のデータ格納部３２６に書き込まれている再生能力データ３２８を読み出し、ステップＳ４８においてＡＶアンプ１００自身の信号再生能力を示すデータ１２８と合成し、ステップＳ４９でそのデータをデータ格納部１２６に書き込む。一方、ステップＳ４２で電源がオフでスタンバイ状態と判断された時は、ステップＳ４３においてＴＶ３０１のデータ格納部３２６に書き込まれている信号再生能力を示すデータ、すなわち、自己再生能力データ格納部３２８に格納されているデータを読み出し、ステップＳ４４でそのデータの内容がＡＶアンプ１００自身が有する映像信号伝送能力を越えていないかを判断し、超えていなければステップＳ４６に進んでそのデータがそのままデータ格納部１２６へと書き込まれる。ステップＳ４４で、もし、読み出されたＴＶ３０１の信号再生能力データ２２８の内容がＡＶアンプ１００自身が有する映像信号伝送能力を越えている場合は、ステップＳ４５においてステップＳ４５においてＴＶ３０１から読み出されたデータにＡＶアンプ１００自身の信号再生能力を越えない範囲で修正を行い、ステップＳ４６において、その修正したデータをデータ格納部１２６へと書き込む。
【００６１】
このようにして、ＡＶアンプ１００のデータ格納部１２６に書き込まれた再生能力を示すデータに基づいて、ＤＶＤレコーダー２０１などのソース機器の再生フォーマットが設定されて、映像及び音声信号出力が行われ、その映像及び音声信号をＡＶアンプ１００へ入力すると共に、当該ＡＶアンプ１００の電源オン状態、または電源オフのスタンバイ状態に応じて、音声信号をＡＶアンプ１００に接続された外部スピーカ１１４より出力するか、ＴＶ３０１内蔵のスピーカー（図示せず）より出力するかが設定されるものであり、映像信号はいずれの場合でもＴＶ３０１から出力されるようになっている。
【００６２】
以上のように、ソース機器に対して示す再生能力データを電源のオン／オフ状態に基づいて書き換えることにより、第１の実施の形態での効果に加え、ＡＶアンプ１００に接続された外部スピーカ１１４から音声を出力する場合、あるいは、ＴＶ３０１の内蔵スピーカーから音声を出力する場合に応じて最適な音声フォーマットで音声を再生することが可能となる。
【産業上の利用可能性】
【００６３】
本発明は、音響再生装置の電源をオフし、音響再生装置の外部スピーカによる音声出力を行わない場合であっても、電源オンでの使用時の入力セレクタの設定を意識せずに、映像、音声を出力できる状態にあるソース機器を優先して選択し、リピータとしての当該音響再生装置を介して、シンク機器に対して映像信号および音声信号を出力できるより使いやすい装置を提供できるため、家庭で使用するホームシアターシステムとして広く利用可能なものである。
【符号の説明】
【００６４】
１００    ＡＶアンプ
１０１    ＨＤＭＩ入力セレクタ
１０２    ＨＤＭＩ受信部
１０３    第１の信号入力部
１０４    電源検出部
１０５    ＨＤＭＩ送信部
１０６    信号出力部
１０７    音声入力セレクタ
１０８    第２の信号入力部
１０９    入力セレクタ
１１０    音声処理部
１１１    電源部
１１２    制御部
１１３    メモリ部
１１４    外部スピーカー
１２０    ＡＶアンプのＨＤＭＩブロック
１２１    ＨＤＭＩ入力端子
１２２    ＨＤＭＩ出力端子
１２３    入力インターフェース部
１２４    出力インターフェース部
１２５    音声切換部
１２６    データ格納部
１２７    ＨＤＭＩ制御部
１２８    自己再生能力データ格納部
２１８    ソース機器のＨＤＭＩ出力端子
２２３    映像・音声信号発生部
２２４    出力インターフェース部
２２５    映像／音声信号処理部
２２７    ＨＤＭＩ制御部
３１７    ＴＶのＨＤＭＩ入力端子
３２０    ＨＤＭＩ受信部
３２３    入力インターフェース部
３２５    映像・音声信号処理部
３２６    データ格納部
３２７    ＨＤＭＩ制御部
３２８    自己再生能力データ格納部
４０１    ビデオデッキ
４０２    ＣＤプレーヤー
【図１】
2011146884.tif 000003
【図２】
2011146884.tif 000004
【図３】
2011146884.tif 000005
【図４】
2011146884.tif 000006
【図５】
2011146884.tif 000007
【図６】
2011146884.tif 000008
【図７】
2011146884.tif 000009
【図８】
2011146884.tif 000010